(57)【特許請求の範囲】
【請求項１】
原稿を読み取る読取手段と、
前記読取手段が読み取った前記原稿をカラー出力するためのＣＭＹＫ画像情報を生成する第１の色補正手段と、
前記読取手段が読み取った前記原稿をモノクロ出力するためのＫ画像情報を生成する第２の色補正手段と、
前記読取手段が読み取った前記原稿がカラーであるかモノクロであるかを判定する判定手段と、
前記判定手段の判定結果に基づいて、前記第１の色補正手段が生成した前記ＣＭＹＫ画像情報または前記第２の色補正手段が生成した前記Ｋ画像情報を出力する出力手段と、
を備え、
前記読取手段は、前記出力手段が最後の色の画像情報を出力した場合に、次の原稿の読み取りを開始する、
画像処理装置。
【請求項２】
前記第２の色補正手段は、前記判定手段の判定結果に関わらず前記Ｋ画像情報の生成を開始し、
前記出力手段は、前記判定手段の判定結果に基づいて、前記第１の色補正手段が生成した前記ＣＭＹＫ画像情報または前記第２の色補正手段が生成した前記Ｋ画像情報を出力する、
請求項１に記載の画像処理装置。
【請求項３】
原稿を読み取る読取手段と、
前記読取手段が読み取った前記原稿をカラー出力するためのＣＭＹＫ画像情報を生成する第１の色補正手段と、
前記読取手段が読み取った前記原稿がカラーであるかモノクロであるかを判定する判定手段と、
前記判定手段が前記原稿はモノクロであると判定した場合に、前記ＣＭＹＫ画像情報からＫ画像情報の生成を開始する色変換手段と、
前記判定手段の判定結果に基づいて、前記第１の色補正手段が生成した前記ＣＭＹＫ画像情報または前記色変換手段が生成した前記Ｋ画像情報を出力する出力手段と、
を備え、
前記読取手段は、前記出力手段が最後の色の画像情報を出力した場合に、次の原稿の読み取りを開始する、
画像処理装置。
【請求項４】
請求項１ないし３の何れか１項に記載の画像処理装置と、
前記画像処理装置が出力したＣＭＹＫ画像情報またはＫ画像情報に基づいて画像形成を行う画像形成手段と、
を備える画像形成装置。
【請求項５】
原稿を読み取る読取ステップと、
前記読取ステップが読み取った前記原稿をカラー出力するためのＣＭＹＫ画像情報を生成する第１の色補正ステップと、
前記読取ステップが読み取った前記原稿をモノクロ出力するためのＫ画像情報を生成する第２の色補正ステップと、
前記読取ステップが読み取った前記原稿がカラーであるかモノクロであるかを判定する判定ステップと、
前記判定ステップの判定結果に基づいて、前記第１の色補正ステップが生成した前記ＣＭＹＫ画像情報または前記第２の色補正ステップが生成した前記Ｋ画像情報を出力する出力ステップと、
を含み、
前記読取ステップは、前記出力ステップが最後の色の画像情報を出力した場合に、次の原稿の読み取りを開始する、
画像処理方法。
【請求項６】
原稿を読み取る読取ステップと、
前記読取ステップが読み取った前記原稿をカラー出力するためのＣＭＹＫ画像情報を生成する第１の色補正ステップと、
前記読取ステップが読み取った前記原稿がカラーであるかモノクロであるかを判定する判定ステップと、
前記判定ステップが前記原稿はモノクロであると判定した場合に、前記ＣＭＹＫ画像情報からＫ画像情報の生成を開始する色変換ステップと、
前記判定ステップの判定結果に基づいて、前記第１の色補正ステップが生成した前記ＣＭＹＫ画像情報または前記色変換ステップが生成した前記Ｋ画像情報を出力する出力ステップと、
を含み、
前記読取ステップは、前記出力ステップが最後の色の画像情報を出力した場合に、次の原稿の読み取りを開始する、
画像処理方法。
【発明の詳細な説明】
【技術分野】
【０００１】
本発明は、画像処理装置、画像形成装置および画像処理方法に関する。
【背景技術】
【０００２】
従来、カラー対応の複合機には、ＡＣＳ（Auto  Color  Selection）機能が備わっている。ＡＣＳ機能は、複合機が読み取った原稿がカラー原稿であるかモノクロ原稿であるかを判定する機能である。そして、複合機は、判定結果に応じて、原稿がカラーの場合には、有彩色材を用いて画像出力し、原稿がモノクロの場合には、無彩色材を用いて画像出力する。
【０００３】
特許文献１には、ＡＣＳ機能を使用した際の画質劣化を抑制することが可能な技術が開示されている。特許文献１に開示された技術は、画像形成の前処理制御が終了すると、原稿を走査し、カラー原稿であるかモノクロ原稿であるかを判定する。そして、特許文献１に開示された技術は、カラー原稿であると判定した場合には、原稿の走査から現像までを色数繰り返し行うことで画像を出力している。
【発明の概要】
【発明が解決しようとする課題】
【０００４】
しかしながら、特許文献１に開示された技術によれば、同じ原稿を複数回読み取るため、画素の位置がずれてしまう場合がある。さらに、特許文献１に開示された技術によれば、原稿を１回しか読み取ることができないシートスルー式の原稿自動送り装置には対応することができない。
【０００５】
本発明は、上記に鑑みてなされたものであって、画像の劣化を防止しつつ生産性を高めることができる画像処理装置、画像形成装置および画像処理方法を提供することを目的とする。
【課題を解決するための手段】
【０００６】
上述した課題を解決し、目的を達成するために、本発明に係る画像処理装置は、読取手段と、第１の色補正手段と、第２の色補正手段と、判定手段と、出力手段とを備える。前記読取手段は、原稿を読み取る。前記第１の色補正手段は、前記読取手段が読み取った前記原稿をカラー出力するためのＣＭＹＫ画像情報を生成する。前記第２の色補正手段は、前記読取手段が読み取った前記原稿をモノクロ出力するためのＫ画像情報を生成する。前記判定手段は、前記読取手段が読み取った前記原稿がカラーであるかモノクロであるかを判定する。前記出力手段は、前記判定手段の判定結果に基づいて、前記第１の色補正手段が生成した前記ＣＭＹＫ画像情報または前記第２の色補正手段が生成した前記Ｋ画像情報を出力する。前記読取手段は、前記出力手段が最後の色の画像情報を出力した場合に、次の原稿の読み取りを開始する。
【発明の効果】
【０００７】
本発明によれば、画像の劣化を防止しつつ生産性を高めることができるという効果を奏する。
【図面の簡単な説明】
【０００８】
【図１】図１は、第１の実施の形態に係る画像形成装置の内部構成を示す図である。
【図２】図２は、第１の実施の形態に係る画像形成装置の制御系の構成の例を示す図である。
【図３】図３は、第１の実施の形態に係る読取画像処理部の機能構成の例を示す機能ブロック図である。
【図４】図４は、第１の実施の形態に係る第１の色補正部の機能構成の例を示す機能ブロック図である。
【図５】図５は、第１の実施の形態に係る第２の色補正部の機能構成の例を示す機能ブロック図である。
【図６】図６は、第１の実施の形態に係るコピー動作処理のタイミングチャートである。
【図７】図７は、第２の実施の形態に係る読取画像処理部の機能構成を示す機能ブロック図である。
【図８】図８は、第２の実施の形態に係る出力コントローラの機能構成を示す機能ブロック図である。
【図９】図９は、第２の実施の形態に係るコピー動作処理のタイミングチャートである。
【発明を実施するための形態】
【０００９】
以下、添付図面を参照しながら、画像処理装置、画像形成装置および画像処理方法の実施の形態を詳細に説明する。以下では、画像処理装置を、複合機（ＭＦＰ：Multifunction  Peripheral（以下、ＭＦＰと称する））などの画像形成装置に適用した場合を例に挙げて説明するが、これに限定されるものではない。なお、複合機とは、コピー機能、スキャナ機能、ファクス機能、プリンタ機能のうち少なくとも２つの機能を有する装置である。
【００１０】
（第１の実施の形態）
図１は、第１の実施の形態に係る画像形成装置１の内部構成を示す図である。図１に示す画像形成装置１は、画像処理装置１０、コンタクトガラス１１、作像ステーション１２ａ，１２ｂ，１２ｃ，１２ｄ、中間転写ベルト１３、転写ローラ１４、定着ローラ１５、第１給紙トレイ１６、第２給紙トレイ１７、自動原稿送り装置２０、原稿給紙台２１、排紙トレイ２２、搬送ローラ２３、及び３ビンソータ３０を有する。
【００１１】
自動原稿送り装置２０（ＡＤＦ：Auto  Document  Feeder）は、原稿給紙台２１に置かれた原稿を、コンタクトガラス１１上に導く。そして、自動原稿送り装置２０は、各原稿をそれぞれ１回ずつ読み取らせる。その際、搬送ローラ２３は、原稿を搬送させるために駆動又は従動する。そして、自動原稿送り装置２０は、ＣＣＤ（Charge  Coupled  Device）１３０（図２参照）や、ＣＩＳ（Contact  Image  Sensor）１４０（図２参照）が原稿を読み取った後に、排紙トレイ２２に原稿を排出させる。
【００１２】
画像処理装置１０は、コンタクトガラス１１上に置かれた原稿または自動原稿送り装置２０が搬送した原稿を、ＣＣＤ１３０（図２参照）や、ＣＩＳ１４０（図２参照）が１回読み取り動作を行うことで、ＲＧＢ画像を生成する。そして、画像処理装置１０は、ＲＧＢ画像から変換したＣＭＹＫ画像、又はｍｏｎｏＫ画像を生成する。ここで、ＲＧＢ画像とは、Ｒ（レッド）、Ｇ（グリーン）、Ｂ（ブルー）の各色を有するカラーの画像情報である。ＣＭＹＫ画像とは、Ｃ（シアン）、Ｍ（マゼンタ）、Ｙ（イエロー）、Ｋ（ブラック）の各色を有するカラーの画像情報である。すなわち、ＣＭＹＫ画像は、Ｃ画像、Ｍ画像、Ｙ画像、及びＫ画像の４版の画像情報を有する。ｍｏｎｏＫ画像とは、Ｋ（ブラック）の色を有するモノクロの画像情報である。そして、画像処理装置１０は、カラー原稿であるかモノクロ原稿であるかに応じて、ＣＭＹＫ画像、又はｍｏｎｏＫ画像を用紙に印刷する。
【００１３】
作像ステーション１２ａ，１２ｂ，１２ｃ，１２ｄは、Ｃ（シアン）、Ｍ（マゼンタ）、Ｙ（イエロー）、Ｋ（ブラック）の各色のトナー像を作像する。作像ステーション１２ａ，１２ｂ，１２ｃ，１２ｄは、中間転写ベルト１３に沿って所定の間隔で配置されている。作像ステーション１２ａ，１２ｂ，１２ｃ，１２ｄは、トナーの色が異なる以外は同様の構成である。以下の説明では、作像ステーション１２ａ，１２ｂ，１２ｃ，１２ｄを区別しない場合には、作像ステーション１２と説明する。
【００１４】
作像ステーション１２は、感光体ドラム１２１と、現像部（不図示）と、ＬＤ（Laser  Diode）１５０（図２参照）とを備える。感光体ドラム１２１は、ＬＤ（Laser  Diode）１５０（図２参照）がレーザ光を照射すると、表面に静電潜像が形成される。そして、現像部は、静電潜像が形成された感光体ドラム１２１にトナーを塗布する。トナーは、レーザ光が照射された部分に残留し、レーザ光が照射されない部分には残留しない。各作像ステーション１２は、Ｃ（シアン）、Ｍ（マゼンタ）、Ｙ（イエロー）、Ｋ（ブラック）の各色で実施する。これにより、感光体ドラム１２１には、画像情報に対応するＣ、Ｍ、Ｙ、Ｋの各色のトナー像が、それぞれ作像される。
【００１５】
中間転写ベルト１３は、感光体ドラム１２１に形成されたトナー像が転写される。そして、画像形成手段である作像ステーション１２は、カラー原稿の場合には、Ｃ、Ｍ、Ｙ、Ｋの各色のトナー像を順次に重ねて転写することでカラー画像を形成する。一方、作像ステーション１２は、モノクロの場合には、Ｋの色のみを転写することでモノクロ画像を形成する。
【００１６】
転写ローラ１４は、中間転写ベルト１３に形成された画像を用紙に転写する。定着ローラ１５は、用紙に転写された画像を定着させる。そして、用紙は、画像形成装置１から排紙される。第１給紙トレイ１６及び第２給紙トレイ１７は、画像が形成される前の用紙が積載される。
【００１７】
３ビンソータ３０は、ステープラ及びシフトトレイを有する。そして、３ビンソータ３０は、画像が定着された用紙を、印刷ジョブに基づく指示に従い所定の枚数毎に纏めて綴ることができる。
【００１８】
次に、画像形成装置１の制御系の構成について説明する。図２は、第１の実施の形態に係る画像形成装置１の制御系の構成の例を示す図である。
【００１９】
画像形成装置１の制御系は、大別すると、エンジン制御部１００及びコントローラ部２００を有する。エンジン制御部１００は、原稿の読取処理や用紙への書込処理の制御、及び各種画像処理を行う。コントローラ部２００は、外部ＩＦ（interface）から入力されたプリントデータの受信、スキャナ画像の配信、及び画像データの保存を行う。
【００２０】
エンジン制御部１００は、エンジンＣＰＵ（Central  Processing  Unit）１１０、エンジン画像処理部１２０、ＣＣＤ１３０、ＣＩＳ１４０及び、ＬＤ１５０を有する。
【００２１】
エンジンＣＰＵ１１０は、エンジン制御部１００を統括的に制御する。ＣＣＤ１３０は、コンタクトガラス１１上の原稿を読み取り、ＲＧＢ画像を生成する。ＣＩＳ１４０は、自動原稿送り装置２０が搬送した原稿を読み取り、ＲＧＢ画像を生成する。そして、読取手段であるＣＣＤ１３０及びＣＩＳ１４０は、各原稿を１回ずつ読み取る。画像形成装置１は、ＣＣＤ１３０と、ＣＩＳ１４０とを２つ持つことで原稿の両面を同時に読み取ることができる。ＬＤ１５０は、印刷対象の画像データに基づいて変調したレーザ光を感光体ドラム１２１に照射して、画像を形成する。
【００２２】
エンジン画像処理部１２０は、各種画像処理を行う。また、エンジン画像処理部１２０は、読取画像処理部１１１、書込画像処理部１１２、及びシリアル通信制御部１１３を有する。
【００２３】
読取画像処理部１１１は、ＣＣＤ１３０やＣＩＳ１４０を用いた原稿の読み取り及びＲＧＢ画像の生成を制御する。また、読取画像処理部１１１は、読み取ったＲＧＢ画像に対して、ＭＴＦ（Modulation  Transfer  Function）補正、平滑フィルタ補正、ＲＧＢ画像からＣＭＹＫ画像の生成、ＲＧＢ画像からｍｏｎｏＫ画像の生成、色補正、画像加工、及び符号化（圧縮処理）を行う。
【００２４】
ここで、図３は、第１の実施の形態に係る読取画像処理部１１１の機能構成の例を示す機能ブロック図である。読取画像処理部１１１は、シェーディング補正部１１１１、フィルタ処理部１１１２、第１の色補正部１１１３、第２の色補正部１１１４、画像加工部１１１５、圧縮部１１１６、地肌除去部１１１７、及び有彩無彩判定部１１１８を有する。
【００２５】
シェーディング補正部１１１１は、ＲＧＢ画像の濃淡ムラを補正する。そして、シェーディング補正部１１１１は、補正したＲＧＢ画像をフィルタ処理部１１１２と、地肌除去部１１１７とに出力する。
【００２６】
フィルタ処理部１１１２は、平滑処理、エッジ強調処理によりＲＧＢ画像の画質を向上させる。そして、フィルタ処理部１１１２は、画質を向上させたＲＧＢ画像を第１の色補正部１１１３と、第２の色補正部１１１４とに出力する。
【００２７】
第１の色補正手段である第１の色補正部１１１３は、フィルタ処理部１１１２が画質を向上させたＲＧＢ画像からカラー出力用のＣＭＹＫ画像を生成する。すなわち、第１の色補正部１１１３は、カラー出力用のＣＭＹＫ画像情報を生成する。
【００２８】
第２の色補正手段である第２の色補正部１１１４は、フィルタ処理部１１１２が画質を向上させたＲＧＢ画像からモノクロ出力用のｍｏｎｏＫ画像を生成する。すなわち、第２の色補正部１１１４は、モノクロ出力用のｍｏｎｏＫ画像情報を生成する。なお、第２の色補正部１１１４は、有彩無彩判定部１１１８の判定に関わらず、モノクロ出力用のｍｏｎｏＫ画像を生成する。よって、第２の色補正部１１１４は、有彩無彩判定部１１１８が読み取った原稿がカラーであるかモノクロであるかを判定する前にｍｏｎｏＫ画像の生成を開始する。これにより、画像処理装置１０は、有彩無彩判定部１１１８がモノクロであると判定した場合には、直ちに、ｍｏｎｏＫ画像を出力することができる。
【００２９】
画像加工部１１１５は、指定された解像度への変更や、拡大縮小などの変倍や、画像位置の調整などを行う。圧縮部１１１６は、画像加工部１１１５が生成した画像を圧縮する。圧縮部１１１６は、固定長形式やＪＰＥＧ形式などにより圧縮する。圧縮部１１１６は、画像を圧縮することで、後段のシリアル通信制御部１１３の負荷軽減を図っている。
【００３０】
地肌除去部１１１７は、シェーディング補正部１１１１から出力されたＲＧＢ画像の地肌レベルを検出する。そして、地肌除去部１１１７は、検出した地肌レベル分をＲＧＢ各版から除去する。これにより、地肌除去部１１１７は、後段の有彩無彩判定部１１１８が誤検出することを防ぐ。
【００３１】
有彩無彩判定部１１１８は、ＣＣＤ１３０またはＣＩＳ１４０が読み取った原稿がカラーであるかモノクロであるかを判定する。具体的には、有彩無彩判定部１１１８は、地肌除去後のＲＧＢ画像に対してＣＭＹＫＲＧＢ色相分割の色判定を行う。すなわち、有彩無彩判定部１１１８は、ＲＧＢ画像の各画素がＣ（シアン）、Ｍ（マゼンタ）、Ｙ（イエロー）、Ｋ（ブラック）、Ｒ（レッド）、Ｇ（グリーン）、及びＢ（ブルー）の何れに該当するかを判定する。そして、有彩無彩判定部１１１８は、有彩画素と判定された規定領域内の画素の個数によりカラー原稿かモノクロ原稿かを判定する。
【００３２】
この時、有彩無彩判定部１１１８は、有彩画素が規定領域内に規定個数含まれているか否かの判定処理を１ページ分のＲＧＢ画像に対して実行する。有彩無彩判定部１１１８は、原稿の一部の領域で規定個数以上の有彩画素が含まれていると判定した場合に、カラー原稿であると判定する。一方、有彩無彩判定部１１１８は、１ページ分のＲＧＢ画像に対する判定処理において、カラー原稿ではないと判定された場合に、モノクロ原稿であると判定する。すなわち、有彩無彩判定部１１１８は、１ページ分のＲＧＢ画像に対する判定処理が終了した場合に、モノクロ原稿であると判定することができる。
【００３３】
そして、有彩無彩判定部１１１８は、判定結果であるａｃｓ＿ｆｌａｇをコントローラ部２００に出力する。ここで、原稿が有彩の場合に、有彩無彩判定部１１１８は、Ｈｉｇｈレベルのａｃｓ＿ｆｌａｇをコントローラ部２００に出力する。一方、原稿が無彩の場合に、有彩無彩判定部１１１８は、Ｌｏｗレベルのａｃｓ＿ｆｌａｇをコントローラ部２００に出力する。
【００３４】
このように、ＣＣＤ１３０及びＣＩＳ１４０が原稿から読み取ったＲＧＢ画像は、第１の色補正部１１１３と、第２の色補正部１１１４と、有彩無彩判定部１１１８とに出力される。そして、第１の色補正部１１１３は、生成したＣＭＹＫ画像を、画像加工部１１１５及び圧縮部１１１６を介して、コントローラ部２００に出力する。また、第２の色補正部１１１４は、生成したｍｏｎｏＫ画像を、画像加工部１１１５及び圧縮部１１１６を介して、コントローラ部２００に出力する。また、有彩無彩判定部１１１８は、判定結果であるａｃｓ＿ｆｌａｇをコントローラ部２００に出力する。
【００３５】
次に、第１の色補正部１１１３の機能構成について説明する。図４は、第１の実施の形態に係る第１の色補正部１１１３の機能構成の例を示す機能ブロック図である。
【００３６】
第１の色補正部１１１３は、カラー色変換部１１１３ａ、及びＵＣＲ（Under  Color  Removal）処理部１１１３ｂを有する。カラー色変換部１１１３ａは、１２色相分割の線形マスキング積和演算によりＣＭＹＫごとに画像情報を生成する。具体的には、カラー色変換部１１１３ａは、数式１により信号を生成する。
【００３７】
ｓｕｍ＿ｘ  ＝  ｃｏｅｆ＿ｒ＿ｘ［ｈｕｅ］＊ｒ
＋ｃｏｅｆ＿ｇ＿ｘ［ｈｕｅ］＊ｇ
＋ｃｏｅｆ＿ｂ＿ｘ［ｈｕｅ］＊ｂ
＋ｃｏｎｓｔ＿ｘ・・・（数式１）
また、下記に数式１の各変数について示す。
ｘ：Ｃ、Ｍ、Ｙ、Ｋ
ｈｕｅ：０〜１１色相情報
ｃｏｅｆ＿ｒ＿ｘ、ｃｏｅｆ＿ｇ＿ｘ、ｃｏｅｆ＿ｂ＿ｘ：色相ごとの補正係数
ｃｏｎｓｔ＿ｘ：固定調整値
【００３８】
ＵＣＲ処理部１１１３ｂは、下色除去を行う。Ｃ（シアン）、Ｍ（マゼンタ）、Ｙ（イエロー）の３色のトナーを等量重ねて印刷しても無彩色（灰色や黒色）にならない。そこで、ＵＣＲ処理部１１１３ｂは、ＣＭＹＫ４色のトナーを用いて特定量のＫ（黒）トナーを追加した後で、ＣＭＹのトナーを除去する。これにより、ＵＣＲ処理部１１１３ｂは、無彩色の再現性を向上させるとともに、ＣＭＹのトナーを減量する。
【００３９】
次に、第２の色補正部１１１４の機能構成について説明する。図５は、第１の実施の形態に係る第２の色補正部１１１４の機能構成の例を示す機能ブロック図である。第２の色補正部１１１４は、モノクロ色変換部１１１４ａを有する。そして、モノクロ色変換部１１１４ａは、第１の色補正部１１１３と同様に１２色相分割の線形マスキング積和演算によりＲＧＢ画像を輝度信号Ｙに変換することでｍｏｎｏＫ画像を生成する。ＲＧＢから輝度信号への一般的な変換式として数式２が知られている。
Ｙ＝  ０．２９９＊Ｒ＋０．５８７＊Ｇ＋０．１１４＊Ｂ・・・（数式２）
【００４０】
モノクロ色変換部１１１４ａは、ｍｏｎｏＫ画像への変換において、エンジン特性にあわせて、補正係数を調整する。具体的には、モノクロ色変換部１１１４ａは、数式３により調整し、ｍｏｎｏＫ画像を生成する。
【００４１】
ｍｏｎｏＫ  ＝  ｃｏｅｆ＿ｒ＿ｍｏｎｏｋ［ｈｕｅ］＊ｒ
＋ｃｏｅｆ＿ｇ＿ｍｏｎｏｋ［ｈｕｅ］＊ｇ
＋ｃｏｅｆ＿ｂ＿ｍｏｎｏｋ［ｈｕｅ］＊ｂ
＋ｃｏｎｓｔ＿ｍｏｎｏｋ・・・（数式３）
また、下記に数式３の各変数について示す。
ｈｕｅ：０〜１１色相情報
ｃｏｅｆ＿ｒ＿ｍｏｎｏｋ、ｃｏｅｆ＿ｂ＿ｍｏｎｏｋ、ｃｏｅｆ＿ｂ＿ｍｏｎｏｋ：色相ごとの補正係数
ｃｏｎｓｔ＿ｍｏｎｏｋ：固定調整値
【００４２】
図２に戻り、書込画像処理部１１２は、作像ステーション１２の作像、すなわち、感光体ドラム１２１の間隔に依存したタイミングで、コントローラ部２００から出力された画像情報をＬＤ１５０へ出力する。書込画像処理部１１２は、ＣＭＹＫ画像の複合化（伸長処理）、通常色画像データの階調処理、スタンプ画像や地紋画像の解像度変換や変倍、各色の画像情報のシフト処理、及び各画像情報の合成処理を行う。そして、出力手段である書込画像処理部１１２は、有彩無彩判定部１１１８の判定結果に基づいて、第１の色補正部１１１３が生成したＣＭＹＫ画像又は第２の色補正部１１１４が生成したｍｏｎｏＫ画像をＬＤ１５０に形成させて用紙に印刷出力する。
【００４３】
シリアル通信制御部１１３は、エンジン制御部１００とコントローラ部２００とを接続する。シリアル通信制御部１１３は、例えば、ＰＣＩ（Peripheral  Component  Interconnect）−Ｅｘｐｒｅｓｓ等の高速シリアルＩＦなどがある。シリアル通信制御部１１３は、ＣＭＹＫ画像の４版分の画像情報と、ｍｏｎｏＫ画像の１版分の画像情報との合計５版分の画像情報を送る。
【００４４】
コントローラ部２００は、外部ＩＦからのプリントデータ受信、スキャナ画像の配信、及び画像データの保存を行う。コントローラ部２００は、コントローラ画像処理部２１０、コントローラＣＰＵ２３０、コントローラメモリ２４０、外部ＩＦ制御部２５０、及びＨＤＤ（Hard  Disk  Drive）２６０を有する。
【００４５】
コントローラＣＰＵ２３０は、コントローラ部２００の制御、プリントデータの翻訳、プリント画像の描画、スタンプ画像の描画、地紋画像の描画、ＪＰＥＧ（Joint  Photographic  Experts  Group）データへの圧縮処理、及びＪＰＥＧデータから画像への伸長処理を行う。また、コントローラＣＰＵ２３０は、入力されたＣＭＹＫ画像及びｍｏｎｏＫ画像をコントローラメモリ２４０に記憶する。そして、コントローラＣＰＵ２３０は、有彩無彩判定部１１１８からａｃｓ＿ｆｌａｇが入力された場合に、ａｃｓ＿ｆｌａｇに応じてカラー用のＣＭＹＫ画像又はモノクロ用のｍｏｎｏＫ画像をエンジン制御部１００に出力する。
【００４６】
コントローラメモリ２４０は、各種プログラムを一時的に記憶するとともに、各種データを書き換え自在に記憶する。また、コントローラメモリ２４０は、受信したプリントデータの一時保存、プリント画像、スタンプ画像、地紋画像、通常色画像、読取画像等に使用されるワークメモリである。また、コントローラメモリ２４０は、エンジン制御部１００から出力されたカラー出力用のＣＭＹＫ画像及びモノクロ出力用のｍｏｎｏＫ画像を一時的に記憶する。
【００４７】
外部ＩＦ制御部２５０は、ネットワークを介して、外部の通信機器との接続を制御する。具体的には、外部ＩＦ制御部２５０は、外部への画像転送、及び外部からのプリントデータ入力を制御する。
【００４８】
ＨＤＤ２６０は、各種プログラムや画像を記憶する。
【００４９】
コントローラ画像処理部２１０は、各種画像処理を行う。また、コントローラ画像処理部２１０は、入力コントローラ２１２、出力コントローラ２１３、コントローラ内部バス制御部２１４、シリアル通信制御部２１５、回転器２１６、編集器２１７、圧縮器２１８、伸長器２１９、及びＨＤＤコントローラ２２０を有する。
【００５０】
入力コントローラ２１２は、エンジン制御部１００からＣＭＹＫ画像及びｍｏｎｏＫ画像の入力を受け付ける。出力コントローラ２１３は、エンジン制御部１００へＣＭＹＫ画像又はｍｏｎｏＫ画像を出力する。コントローラ内部バス制御部２１４は、各機能ブロック間のバス切り替え及びバス調停を行う。シリアル通信制御部２１５は、エンジン制御部１００とコントローラ部２００とを接続する。シリアル通信制御部２１５は、例えば、ＰＣＩ−Ｅｘｐｒｅｓｓ等の高速シリアルＩＦなどである。回転器２１６及び編集器２１７は、プリンタ画像や読取画像の画像加工を行う。圧縮器２１８は、プリンタ画像や読取画像を保存する際にデータ圧縮を行う。伸長器２１９は、圧縮された保存データを元の画像データに戻す。ＨＤＤコントローラ２２０は、ＨＤＤ２６０へのデータの書き込みと読出しを制御する。
【００５１】
次に、第１の実施の形態に係る画像形成装置１のエンジン制御部１００及びコントローラ部２００によるコピー動作処理についてタイミングチャートを用いて説明する。ここで、図６は、第１の実施の形態に係るコピー動作処理のタイミングチャートである。なお、図６には、画像形成装置１に係る主要なコピー動作について説明を記載している。また、図６に示すタイミングチャートは、１ページ目と、３ページ目と、４ページ目とがカラー原稿であり、２ページ目がモノクロ原稿であることを示している。
【００５２】
まず、カラー原稿である１ページ目について説明する。
【００５３】
ＣＩＳ１４０は、自動原稿送り装置２０が搬送した原稿を読み取りＲＧＢ画像を生成する。第１の色補正部１１１３は、シェーディング補正部１１１１及びフィルタ処理部１１１２を介して入力されたＲＧＢ画像からカラー出力用のＣＭＹＫ画像を生成する。そして、コントローラＣＰＵ２３０は、生成されたカラー出力用のＣＭＹＫ画像をコントローラメモリ２４０に記憶する。
【００５４】
また、第２の色補正部１１１４は、シェーディング補正部１１１１及びフィルタ処理部１１１２を介して入力されたＲＧＢ画像からモノクロ出力用のｍｏｎｏＫ画像を生成する。この時、第２の色補正部１１１４は、有彩無彩判定部１１１８の判定結果に関わらずｍｏｎｏＫ画像の生成を開始する。そして、コントローラＣＰＵ２３０は、生成されたモノクロ出力用のｍｏｎｏＫ画像をコントローラメモリ２４０に記憶する。
【００５５】
また、有彩無彩判定部１１１８は、シェーディング補正部１１１１及び地肌除去部１１１７を介して入力されたＲＧＢ画像を基に、原稿がカラーであるかモノクロであるかを判定する。１ページ目はカラー原稿なので有彩無彩判定部１１１８は、Ｈｉｇｈレベルのａｃｓ＿ｆｌａｇをコントローラ部２００に出力する。
【００５６】
コントローラＣＰＵ２３０は、カラー原稿であると判定されると、コントローラメモリ２４０に記憶されたＣＭＹＫ画像を書込画像処理部１１２に順次出力する。まず、コントローラＣＰＵ２３０は、Ｋ画像を書込画像処理部１１２に出力する。次いで、コントローラＣＰＵ２３０は、Ｃ画像を書込画像処理部１１２に出力する。次いで、コントローラＣＰＵ２３０は、Ｍ画像を書込画像処理部１１２に出力する。次いで、コントローラＣＰＵ２３０は、Ｙ画像を書込画像処理部１１２に出力する。
【００５７】
書込画像処理部１１２は、各色の画像情報を作像ステーション１２の作像に依存したタイミングでＬＤ１５０に出力する。すなわち、同一ページの転送間隔は、感光体ドラム１２１の間隔に依存する。これにより、感光体ドラム１２１は、各色の画像情報を、色ごとにずれることなく中間転写ベルト１３に転写することができる。
【００５８】
そして、書込画像処理部１１２が最後の色の画像情報をＬＤ１５０へ出力を開始した場合に、ＣＩＳ１４０は、次の原稿の読み取りを開始する。これにより、エンジンＣＰＵ１１０は、コントローラメモリ２４０に記憶された情報の上書きを防止する。なお、エンジンＣＰＵ１１０は、コントローラメモリ２４０に次の原稿のＣＭＹＫ画像及びｍｏｎｏＫ画像を記憶する容量がある場合には、最後の色の画像情報の出力を待たずに、次の原稿の読み取りを開始してよい。
【００５９】
次に、モノクロ原稿である２ページ目について説明する。
【００６０】
カラー原稿と同様に、第１の色補正部１１１３は、カラー出力用のＣＭＹＫ画像をコントローラ部２００に出力する。そして、コントローラＣＰＵ２３０は、カラー出力用のＣＭＹＫ画像をコントローラメモリ２４０に記憶する。
【００６１】
また、エンジン制御部１００は、モノクロ出力用のｍｏｎｏＫ画像をコントローラ部２００に出力する。そして、コントローラＣＰＵ２３０は、モノクロ出力用のｍｏｎｏＫ画像をコントローラメモリ２４０に記憶する。
【００６２】
そして、有彩無彩判定部１１１８は、原稿がカラーであるかモノクロであるかを判定する。この時、２ページ目の原稿は、モノクロ原稿である。そのため、有彩無彩判定部１１１８は、原稿を読み終えた後に、Ｌｏｗレベルのａｃｓ＿ｆｌａｇをコントローラ部２００に出力する。すなわち、コントローラＣＰＵ２３０は、原稿を読み終えた後に、Ｋ画像を書込画像処理部１１２に出力する。
【００６３】
この時、Ｋ画像が最後の色の画像情報であるため、ＣＩＳ１４０は、次の原稿の読み取りを開始する。
【００６４】
３ページ目及び４ページ目の原稿は、カラーの原稿である。画像形成装置１は、１ページ目と同様の処理を行う。
【００６５】
以上のように、第１の実施の形態に係る画像処理装置１０によれば、読取画像処理部１１１は、ＣＣＤ１３０又はＣＩＳ１４０が読み取った原稿のＲＧＢ画像を、第１の色補正部１１１３、第２の色補正部１１１４、及び有彩無彩判定部１１１８に出力する。第１の色補正部１１１３は、ＲＧＢ画像からカラー出力用のＣＭＹＫ画像を生成する。そして、ＣＭＹＫ画像は、コントローラ部２００に出力される。第２の色補正部１１１４は、ＲＧＢ画像からモノクロ出力用のｍｏｎｏＫ画像を生成する。そして、ｍｏｎｏＫ画像は、コントローラ部２００に出力される。有彩無彩判定部１１１８は、ＲＧＢ画像からモノクロであるかカラーであるかを判定する。そして、判定結果は、コントローラ部２００に出力される。コントローラＣＰＵ２３０は、判定結果に基づいて、ＣＭＹＫ画像又はｍｏｎｏＫ画像をエンジン制御部１００に出力する。エンジン制御部１００は、ＬＤ１５０を介して出力された画像情報を印刷出力する。
【００６６】
また、画像形成装置１は、１回の読み取り動作で、原稿がカラーであるかモノクロであるかに関わらず、カラー出力用のＣＭＹＫ画像と、モノクロ出力用のｍｏｎｏＫ画像との両方を作成する。よって、画像形成装置１は、判定結果でカラーと判定された場合には、すぐにＣＭＹＫ画像を印刷し、モノクロ判定された場合にも、すぐにｍｏｎｏＫ画像を印刷することができる。さらに、画像形成装置１は、原稿の読み取り回数が１回であることから画素位置ズレが起らず、画像劣化を防止することができる。
【００６７】
また、従来は、モノクロ出力する場合には、コントローラＣＰＵ２３０がカラー用のＣＭＹＫ画像から改めてモノクロ出力用のｍｏｎｏＫ画像をコントローラメモリ２４０上で作成していた。よって、従来は、コントローラＣＰＵ２３０に負荷がかかると共に、変換時間が必要なため原稿の読み取り間隔が広がることになり生産性が低下していた。しかし、第１の実施の形態に係る画像処理装置１０は、コントローラ部２００の処理として、ｍｏｎｏＫ画像の領域を選択するだけで画像出力を行うことができるのでＣＰＵ負荷を軽減することができる。
【００６８】
（第２の実施の形態）
次に、第２の実施の形態について説明する。以下では、第１の実施の形態との相違点の説明を主に行う。第１の実施の形態と同様の機能を有する構成要素については、第１の実施の形態と同様の名称・符号を付し、その説明を省略する。
【００６９】
第１の実施の形態に係る画像形成装置１は、原稿がカラーであるかモノクロであるかに関わらず、読取画像処理部１１１がカラー用のＣＭＹＫ画像と、モノクロ用のｍｏｎｏＫ画像との両方を生成している。また、読取画像処理部１１１は、原稿がカラーであるかモノクロであるかを示したａｃｓ＿ｆｌａｇを生成する。そして、コントローラＣＰＵ２３０は、ａｃｓ＿ｆｌａｇに応じて、カラー用のＣＭＹＫ画像と、モノクロ用のｍｏｎｏＫ画像との何れか一方を出力している。これにより、第１の実施の形態に係る画像形成装置１は、ＡＣＳ機能を使用した場合であっても、原稿の読み取りを１回にすることができる。
【００７０】
一方、第２の実施の形態に係る読取画像処理部１１１ａの第１の色補正部１１１３は、カラー用のＣＭＹＫ画像を生成する。また、読取画像処理部１１１ａの有彩無彩判定部１１１８は、原稿がカラーであるかモノクロであるかを示したａｃｓ＿ｆｌａｇを生成する。そして、出力コントローラ２１３ａ（図７参照）は、ａｃｓ＿ｆｌａｇがモノクロを示している場合には、入力されたカラー用のＣＭＹＫ画像からモノクロ用のｍｏｎｏＫ画像を生成する。そして、出力コントローラ２１３ａは、モノクロ用のｍｏｎｏＫ画像を出力する。一方、出力コントローラ２１３ａは、ａｃｓ＿ｆｌａｇがカラーを示している場合には、カラー用のＣＭＹＫ画像を出力する。これにより、第２の実施の形態に係る画像形成装置１ａは、ＡＣＳ機能を使用した場合であっても、原稿の読み取りを１回にすることができる。
【００７１】
次に、第２の実施の形態に係る読取画像処理部１１１ａについて説明する。図７は、第２の実施の形態に係る読取画像処理部１１１ａの機能構成を示す機能ブロック図である。
【００７２】
第２の実施の形態に係る読取画像処理部１１１ａは、シェーディング補正部１１１１、フィルタ処理部１１１２、第１の色補正部１１１３、画像加工部１１１５、圧縮部１１１６、地肌除去部１１１７、及び有彩無彩判定部１１１８を有する。すなわち、第２の実施の形態に係る読取画像処理部１１１ａは、第２の色補正部１１１４が無いことが第１の実施の形態に係る読取画像処理部１１１と異なっている。
【００７３】
次に、第２の実施の形態に係る出力コントローラ２１３ａについて説明する。図８は、第２の実施の形態に係る出力コントローラ２１３ａの機能構成を示す機能ブロック図である。
【００７４】
出力コントローラ２１３ａは、ＤＭＡＣ＿Ｃ部２１３１ａ、ＤＭＡＣ＿Ｍ部２１３１ｂ、ＤＭＡＣ＿Ｙ部２１３１ｃ、ＤＭＡＣ＿Ｋ部２１３１ｄ、ＣＭＹＫ−Ｋ色変換部２１３２、ＳＥＬ部２１３３、ＶＯＵＴ＿Ｃ部２１３４ａ、ＶＯＵＴ＿Ｍ部２１３４ｂ、ＶＯＵＴ＿Ｙ部２１３４ｃ、及びＶＯＵＴ＿Ｋ部２１３４ｄを有する。
【００７５】
ＤＭＡＣ＿Ｃ部２１３１ａ、ＤＭＡＣ＿Ｍ部２１３１ｂ、ＤＭＡＣ＿Ｙ部２１３１ｃ、及びＤＭＡＣ＿Ｋ部２１３１ｄは、ＤＭＡＣ（Direct  Memory  Access  Controller）である。ＤＭＡＣ＿Ｃ部２１３１ａ、ＤＭＡＣ＿Ｍ部２１３１ｂ、ＤＭＡＣ＿Ｙ部２１３１ｃ、及びＤＭＡＣ＿Ｋ部２１３１ｄは、有彩無彩判定部１１１８の判定結果に基づいてコントローラメモリ２４０に記憶されたＣＭＹＫ画像を出力する。
【００７６】
ＤＭＡＣ＿Ｃ部２１３１ａは、有彩無彩判定部１１１８が原稿はカラーであると判定した場合に、コントローラメモリ２４０に記憶されたＣ画像をＶＯＵＴ＿Ｃ部２１３４ａに出力する。一方、ＤＭＡＣ＿Ｃ部２１３１ａは、有彩無彩判定部１１１８が原稿はモノクロであると判定した場合に、コントローラメモリ２４０に記憶されたＣ画像をＣＭＹＫ−Ｋ色変換部２１３２に出力する。
【００７７】
ＤＭＡＣ＿Ｍ部２１３１ｂは、有彩無彩判定部１１１８が原稿はカラーであると判定した場合に、コントローラメモリ２４０に記憶されたＭ画像をＶＯＵＴ＿Ｍ部２１３４ｂに出力する。一方、ＤＭＡＣ＿Ｍ部２１３１ｂは、有彩無彩判定部１１１８が原稿はモノクロであると判定した場合に、コントローラメモリ２４０に記憶されたＣ画像をＣＭＹＫ−Ｋ色変換部２１３２に出力する。
【００７８】
ＤＭＡＣ＿Ｙ部２１３１ｃは、有彩無彩判定部１１１８が原稿はカラーであると判定した場合に、コントローラメモリ２４０に記憶されたＹ画像をＶＯＵＴ＿Ｙ部２１３４ｃに出力する。一方、ＤＭＡＣ＿Ｙ部２１３１ｃは、有彩無彩判定部１１１８が原稿はモノクロであると判定した場合に、コントローラメモリ２４０に記憶されたＹ画像をＣＭＹＫ−Ｋ色変換部２１３２に出力する。
【００７９】
ＤＭＡＣ＿Ｋ部２１３１ｄは、有彩無彩判定部１１１８が原稿はカラーであると判定した場合に、コントローラメモリ２４０に記憶されたＫ画像をＳＥＬ部２１３３に出力する。一方、ＤＭＡＣ＿Ｋ部２１３１ｄは、有彩無彩判定部１１１８が原稿はモノクロであると判定した場合に、コントローラメモリ２４０に記憶されたＫ画像をＣＭＹＫ−Ｋ色変換部２１３２に出力する。
【００８０】
ＣＭＹＫ−Ｋ色変換部２１３２は、ＤＭＡＣ＿Ｃ部２１３１ａ、ＤＭＡＣ＿Ｍ部２１３１ｂ、ＤＭＡＣ＿Ｙ部２１３１ｃ、及びＤＭＡＣ＿Ｋ部２１３１ｄから出力されたＣ画像、Ｍ画像、Ｙ画像、及びＫ画像から、ｍｏｎｏＫ画像を生成する。すなわち、色変換手段であるＣＭＹＫ−Ｋ色変換部２１３２は、有彩無彩判定部１１１８が原稿はモノクロであると判定した場合に、ＣＭＹＫ画像からｍｏｎｏＫ画像を生成する。ＣＭＹＫ−Ｋ色変換部２１３２は、１２色相分割の線形マスキング積和演算によりｍｏｎｏＫ画像を生成する。具体的には、ＣＭＹＫ−Ｋ色変換部２１３２は、数式４によりｍｏｎｏＫ画像を生成する。
【００８１】
ｍｏｎｏＫ  ＝  ｃｏｅｆ＿ｃ＿ｍｏｎｏｋ［ｈｕｅ］＊ｃ
＋  ｃｏｅｆ＿ｍ＿ｍｏｎｏｋ［ｈｕｅ］＊ｍ
＋  ｃｏｅｆ＿ｙ＿ｍｏｎｏｋ［ｈｕｅ］＊ｙ
＋  ｃｏｅｆ＿ｋ＿ｍｏｎｏｋ［ｈｕｅ］＊ｋ
＋  ｃｏｎｓｔ＿ｍｏｎｏｋ・・・（数式４）
また、下記に数式４の各変数について示す。
ｈｕｅ：０〜１１色相情報
ｃｏｅｆ＿ｃ＿ｍｏｎｏｋ、ｃｏｅｆ＿ｍ＿ｍｏｎｏｋ、ｃｏｅｆ＿ｙ＿ｍｏｎｏｋ、ｃｏｅｆ＿ｋ＿ｍｏｎｏｋ：色相ごとの補正係数
ｃｏｎｓｔ＿ｍｏｎｏｋ：固定調整値
【００８２】
ＤＭＡＣ＿Ｃ部２１３１ａ、ＤＭＡＣ＿Ｍ部２１３１ｂ、ＤＭＡＣ＿Ｙ部２１３１ｃ、及びＤＭＡＣ＿Ｋ部２１３１ｄは、有彩無彩判定部１１１８の判定結果に基づいて、Ｃ画像、Ｍ画像、Ｙ画像、及びＫ画像を出力する。ＣＭＹＫ−Ｋ色変換部２１３２は、数式４によりｍｏｎｏＫ画像を生成する。すなわち、ＣＭＹＫ−Ｋ色変換部２１３２は、各色の画像情報からｍｏｎｏＫ画像を生成する。よって、ＣＭＹＫ−Ｋ色変換部２１３２は、ｍｏｎｏＫ画像の生成に各色の画像情報が必要であるため、略同一タイミングで各色の画像情報が入力される必要がある。なお、各色の画像情報の入力タイミングは、ＣＭＹＫ−Ｋ色変換部２１３２が備えているバッファ量に応じて変化する。
【００８３】
ＳＥＬ部２１３３は、ａｃｓ＿ｆｌａｇに応じて、カラー用のＫ画像又はモノクロ用のｍｏｎｏＫ画像を出力する。具体的には、ＳＥＬ部２１３３は、ａｃｓ＿ｆｌａｇがＨｉｇｈレベルの場合に、カラー用のＫ画像をＶＯＵＴ＿Ｋ部２１３４ｄに出力する。一方、ＳＥＬ部２１３３は、ａｃｓ＿ｆｌａｇがＬｏｗレベルの場合に、モノクロ用のｍｏｎｏＫ画像をＶＯＵＴ＿Ｋ部２１３４ｄに出力する。
【００８４】
ＶＯＵＴ＿Ｃ部２１３４ａ、ＶＯＵＴ＿Ｍ部２１３４ｂ、ＶＯＵＴ＿Ｙ部２１３４ｃ、及びＶＯＵＴ＿Ｋ部２１３４ｄは、１又は複数のＦＩＦＯ（First  In,  First  Out）を搭載する。これにより、ＶＯＵＴ＿Ｃ部２１３４ａ、ＶＯＵＴ＿Ｍ部２１３４ｂ、ＶＯＵＴ＿Ｙ部２１３４ｃ、及びＶＯＵＴ＿Ｋ部２１３４ｄは、バッファリング機能を有する。
【００８５】
そして、ＶＯＵＴ＿Ｃ部２１３４ａ、ＶＯＵＴ＿Ｍ部２１３４ｂ、ＶＯＵＴ＿Ｙ部２１３４ｃ、及びＶＯＵＴ＿Ｋ部２１３４ｄは、感光体ドラム１２１の間隔に依存したタイミングでシリアル通信制御部２１１，１１３を介して、書込画像処理部１１２に画像情報を出力する。
【００８６】
ＶＯＵＴ＿Ｃ部２１３４ａは、ＤＭＡＣ＿Ｃ部２１３１ａから出力されたＣ画像をバッファリングし、シリアル通信制御部２１１，１１３を介して、書込画像処理部１１２にＣ画像を出力する。ＶＯＵＴ＿Ｍ部２１３４ｂは、ＤＭＡＣ＿Ｍ部２１３１ｂから出力されたＭ画像をバッファリングし、シリアル通信制御部２１１，１１３を介して、書込画像処理部１１２にＭ画像を出力する。ＶＯＵＴ＿Ｙ部２１３４ｃは、ＤＭＡＣ＿Ｙ部２１３１ｃから出力されたＹ画像をバッファリングし、シリアル通信制御部２１１，１１３を介して、書込画像処理部１１２にＹ画像を出力する。ＶＯＵＴ＿Ｋ部２１３４ｄは、ＳＥＬ部２１３３から出力されたＫ画像をバッファリングし、シリアル通信制御部２１１，１１３を介して、書込画像処理部１１２にＫ画像又はｍｏｎｏＫ画像を出力する。
【００８７】
そして、書込画像処理部１１２は、各色の画像情報を作像ステーション１２の作像に依存したタイミングでＬＤ１５０に出力する。
【００８８】
次に、第２の実施の形態に係る画像形成装置１ａのＡＣＳ機能使用時のコピー動作処理についてタイミングチャートを用いて説明する。ここで、図９は、第２の実施の形態に係るコピー動作処理のタイミングチャートである。なお、図９には、第２の実施の形態に係る画像形成装置１ａの主要なコピー動作について説明を記載している。また、図９に示すタイミングチャートは、１ページ目と、３ページ目と、４ページ目とがカラー原稿であり、２ページ目がモノクロ原稿であることを示している。
【００８９】
まず、カラー原稿である１ページ目について説明する。
【００９０】
ＣＩＳ１４０は、自動原稿送り装置２０が搬送した原稿を読み取りＲＧＢ画像を生成する。読取画像処理部１１１ａは、ＲＧＢ画像からカラー出力用のＣＭＹＫ画像を生成する。また、読取画像処理部１１１ａの有彩無彩判定部１１１８は、原稿がカラーであるかモノクロであるかを判定する。ここで、１ページ目はカラー原稿なので有彩無彩判定部１１１８は、Ｈｉｇｈレベルのａｃｓ＿ｆｌａｇをコントローラ部２００に出力する。
【００９１】
有彩無彩判定部１１１８が有彩無彩判定すると、ＤＭＡＣ＿Ｋ部２１３１ｄは、コントローラメモリ２４０に記憶されたＫ画像をＳＥＬ部２１３３に出力する。
【００９２】
１ページ目はカラー原稿なのでＳＥＬ部２１３３は、ＶＯＵＴ＿Ｋ部２１３４ｄにカラー用のＫ画像を出力する。そして、ＶＯＵＴ＿Ｋ部２１３４ｄは、書込画像処理部１１２にＫ画像を出力する。
【００９３】
次いで、ＤＭＡＣ＿Ｃ部２１３１ａは、ＶＯＵＴ＿Ｃ部２１３４ａにカラー用のＣ画像を出力する。そして、ＶＯＵＴ＿Ｃ部２１３４ａは、書込画像処理部１１２にＣ画像を出力する。次いで、ＤＭＡＣ＿Ｍ部２１３１ｂは、ＶＯＵＴ＿Ｍ部２１３４ｂにカラー用のＭ画像を出力する。そして、ＶＯＵＴ＿Ｍ部２１３４ｂは、書込画像処理部１１２にＭ画像を出力する。次いで、ＤＭＡＣ＿Ｙ部２１３１ｃは、ＶＯＵＴ＿Ｙ部２１３４ｃにカラー用のＹ画像を出力する。そして、ＶＯＵＴ＿Ｙ部２１３４ｃは、書込画像処理部１１２にＹ画像を出力する。
【００９４】
書込画像処理部１１２は、各色の画像情報を作像ステーション１２の作像に依存したタイミングでＬＤ１５０に出力する。すなわち、同一ページの転送間隔は、感光体ドラム１２１の間隔に依存する。これにより、感光体ドラム１２１は、各色の画像情報を、色ごとにずれることなく中間転写ベルト１３に転写することができる。
【００９５】
そして、書込画像処理部１１２が最後の色の画像情報をＬＤ１５０へ出力を開始した場合に、エンジンＣＰＵ１１０は、ＣＣＤ１３０またはＣＩＳ１４０に、次の原稿の読み取りを開始させる。
【００９６】
次に、モノクロ原稿である２ページ目について説明する。
【００９７】
カラー原稿と同様に、読取画像処理部１１１は、カラー出力用のＣＭＹＫ画像をコントローラ部２００に出力する。そして、コントローラＣＰＵ２３０は、カラー出力用のＣＭＹＫ画像をコントローラメモリ２４０に記憶する。また、２ページ目はモノクロ原稿なので有彩無彩判定部１１１８は、Ｌｏｗレベルのａｃｓ＿ｆｌａｇをコントローラ部２００に出力する。
【００９８】
モノクロ原稿の場合には、ＣＭＹＫ−Ｋ色変換部２１３２が、モノクロ用のｍｏｎｏＫ画像を生成する。そのため、ＤＭＡＣ＿Ｋ部２１３１ｄと、ＤＭＡＣ＿Ｃ部２１３１ａと、ＤＭＡＣ＿Ｍ部２１３１ｂと、ＤＭＡＣ＿Ｙ部２１３１ｃとは、コントローラメモリ２４０に記憶された各色の画像情報を略同一タイミングで出力する。
【００９９】
すなわち、ＤＭＡＣ＿Ｋ部２１３１ｄは、ＣＭＹＫ−Ｋ色変換部２１３２にＫ画像を出力する。また、ＤＭＡＣ＿Ｃ部２１３１ａは、ＣＭＹＫ−Ｋ色変換部２１３２にＣ画像を出力する。また、ＤＭＡＣ＿Ｍ部２１３１ｂは、ＣＭＹＫ−Ｋ色変換部２１３２にＭ画像を出力する。また、ＤＭＡＣ＿Ｙ部２１３１ｃは、ＣＭＹＫ−Ｋ色変換部２１３２にＹ画像を出力する。
【０１００】
ＣＭＹＫ−Ｋ色変換部２１３２は、画像情報からｍｏｎｏＫ画像を生成する。そして、ＳＥＬ部２１３３は、モノクロ原稿であるため、ｍｏｎｏＫ画像をＶＯＵＴ＿Ｋ部２１３４ｄに出力する。
【０１０１】
ＶＯＵＴ＿Ｋ部２１３４ｄは、ｍｏｎｏＫ画像を書込画像処理部１１２に出力する。書込画像処理部１１２は、ｍｏｎｏＫ画像をＬＤ１５０に出力する。
【０１０２】
この時、エンジンＣＰＵ１１０は、ｍｏｎｏＫ画像が最後の色の画像情報であるため、次の原稿の読み取りを開始する。
【０１０３】
３ページ目及び４ページ目の原稿は、カラーの原稿である。画像形成装置１ａは、１ページ目と同様の処理を行う。
【０１０４】
以上のように、第２の実施の形態に係る画像処理装置１０によれば、読取画像処理部１１１ａは、ＣＣＤ１３０又はＣＩＳ１４０が読み取った原稿のＲＧＢ画像を、第１の色補正部１１１３、及び有彩無彩判定部１１１８に出力する。第１の色補正部１１１３は、ＲＧＢ画像からカラー出力用のＣＭＹＫ画像を生成する。そして、ＣＭＹＫ画像は、コントローラ部２００に出力される。有彩無彩判定部１１１８は、ＲＧＢ画像からモノクロであるかカラーであるかを判定する。そして、判定結果は、出力コントローラ２１３ａに出力される。出力コントローラ２１３ａのＳＥＬ部２１３３は、判定結果に基づいて、ＣＭＹＫ画像又はｍｏｎｏＫ画像をエンジン制御部１００に出力する。エンジン制御部１００は、ＬＤ１５０を介して出力された画像を印刷出力する。従って、画像の劣化を防止しつつ生産性を高めることができる。
【０１０５】
また、第２の実施の形態に係る画像処理装置１０によれば、モノクロ出力用のｍｏｎｏＫ画像の作成をハード（ＣＭＹＫ−Ｋ色変換部２１３２）が行う。従って、第２の実施の形態に係る画像処理装置１０は、コントローラＣＰＵ２３０がコントローラメモリ２４０上でｍｏｎｏＫ画像を作成する必要がないため、ＣＰＵ負荷を軽減することができる。
【０１０６】
なお、上記には、本発明のいくつかの実施の形態を説明したが、これらの実施の形態は、例として提示したものであり、発明の範囲を限定することは意図していない。これらの新規な実施の形態は、その他の様々な形態で実施されることが可能であり、発明の要旨を逸脱しない範囲で、種々の省略、置き換え、変更を行うことができる。これらの実施の形態やその変形は、発明の範囲や要旨に含まれるとともに、特許請求の範囲に記載された発明とその均等の範囲に含まれる。
【符号の説明】
【０１０７】
１  画像形成装置
１０  画像処理装置
１１１，１１１ａ  読取画像処理部
１１１３  第１の色補正部
１１１４  第２の色補正部
１１１８  有彩無彩判定部
２１３，２１３ａ  出力コントローラ
２１３２  ＣＭＹＫ−Ｋ色変換部
【先行技術文献】
【特許文献】
【０１０８】
【特許文献１】特開２００６−２３８０２４号公報
【図１】
0006503755.tif 000002
【図２】
0006503755.tif 000003
【図３】
0006503755.tif 000004
【図４】
0006503755.tif 000005
【図５】
0006503755.tif 000006
【図６】
0006503755.tif 000007
【図７】
0006503755.tif 000008
【図８】
0006503755.tif 000009
【図９】
0006503755.tif 000010